(57)【要約】【課題】複雑な配管、配線を伴う装置であっても、図面を広げることなく正確な修理作業、保守作業等を迅速に実行することができる保守端末装置及びコンピュータプログラムを提供する。【解決手段】検体を処理する複数の流体部及び検体の流れを制御する複数の機器を備える検体処理装置の保守作業に用いる。記憶されている配管データ及び配線データを表示し、ポインティングデバイスによる指示位置が、配管データ又は配線データの表示位置の所定範囲内に位置する場合、対応する配管データ又は配線データが含まれる一連の配管データ群又は一連の配線データ群の表示形式を、他の表示形式へ切り替える。一連の配管データ群又は一連の配線データ群の端部の接続に関する詳細情報も、選択を受け付けた時点で表示する。【選択図】図３
2010071802.tif 000002
【特許請求の範囲】
【請求項１】
検体を処理する複数の流体部及び検体の流れを制御する複数の機器を備える検体処理装置の保守作業に用いる保守端末装置において、
流体部を連結する配管に関する配管データ及び機器を電気的に接続する配線に関する配線データ、及び／又は連続的に接続されている複数の配管データ及び複数の配線データを一連の配管データ群及び一連の配線データ群として記憶するデータ記憶部と、
記憶されている前記配管データ及び前記配線データ、及び／又は記憶されている前記一連の配管データ群及び一連の配線データ群を表示する表示部と、
ポインティングデバイスの操作による指示信号の受付に応じて、対応する配管データ又は配線データ、若しくは対応する一連の配管データ群又は一連の配線データ群の表示形式を、他の表示形式へ切り替える表示切替部と
を備えることを特徴とする保守端末装置。
【請求項２】
前記データ記憶部は、
前記配管データ及び前記配線データを記憶する配管・配線データ記憶部と、
前記一連の配管データ群及び前記一連の配線データ群を前記配管データ又は前記配線データの位置情報に対応付けて記憶するデータ群記憶部と
を有し、
前記表示部は、記憶されている前記配管データ及び前記配線データを表示し、
前記表示切替部は、前記指示信号の受付に応じて、対応する配管データ又は配線データが含まれる前記一連の配管データ群又は前記一連の配線データ群の表示形式を、他の表示形式へ切り替えることを特徴とする請求項１記載の保守端末装置。
【請求項３】
前記ポインティングデバイスの操作による指示位置が、前記配管データ又は配線データの表示位置の所定範囲内に位置するか否かを判断する判断部を備え、
該判断部で所定範囲内に位置すると判断した場合、前記表示切替部が表示形式を切り替えることを特徴とする請求項１又は２記載の保守端末装置。
【請求項４】
前記判断部で所定範囲内に位置すると判断した場合、対応する配管データ又は配線データが含まれる前記一連の配管データ群又は前記一連の配線データ群の選択を受け付ける選択受付部と、
該選択受付部で選択を受け付けた場合、選択を受け付けた前記一連の配管データ群又は前記一連の配線データ群の表示形式を、選択を受け付けた時点の表示形式に設定する表示形式設定部と
を備えることを特徴とする請求項３記載の保守端末装置。
【請求項５】
前記選択受付部で選択を受け付けた場合、選択を受け付けた前記一連の配管データ群又は前記一連の配線データ群の端部の接続に関する詳細情報を表示する詳細情報表示部を備えることを特徴とする請求項４記載の保守端末装置。
【請求項６】
前記詳細情報表示部は、
前記選択受付部で選択を受け付けた前記一連の配管データ群又は前記一連の配線データ群の端部の接続状態を示す画像を表示するようにしてあることを特徴とする請求項５記載の保守端末装置。
【請求項７】
前記表示部は、記憶されている前記配管データ及び前記配線データを一のウインドウ上に表示するようにしてあり、
前記詳細情報表示部は、選択を受け付けた前記一連の配管データ群又は前記一連の配線データ群の端部の接続状態を示す画像を他のウインドウ上に表示するようにしてあり、
前記一のウインドウと前記他のウインドウとの表示内容を切り替えるウインドウ切替部を備えることを特徴とする請求項５又は６記載の保守端末装置。
【請求項８】
前記表示切替部は、
前記配管データ又は前記配線データ、若しくは前記一連の配管データ群又は前記一連の配線データ群が表示される色を、他の色へ切り替えるようにしてあることを特徴とする請求項１乃至７のいずれか一項に記載の保守端末装置。
【請求項９】
検体を処理する複数の流体部及び検体の流れを制御する複数の機器を備える検体処理装置の保守作業に用いる保守端末装置で実行することが可能なコンピュータプログラムにおいて、
前記保守端末装置を、
流体部を連結する配管に関する配管データ及び機器を電気的に接続する配線に関する配線データ、及び／又は連続的に接続されている複数の配管データ及び複数の配線データを一連の配管データ群及び一連の配線データ群として記憶するデータ記憶部、
記憶されている前記配管データ及び前記配線データ、及び／又は記憶されている前記一連の配管データ群及び一連の配線データ群を表示する表示部、及び
ポインティングデバイスの操作による指示信号の受付に応じて、対応する配管データ又は配線データ、若しくは対応する一連の配管データ群又は一連の配線データ群の表示形式を、他の表示形式へ切り替える表示切替部
として機能させることを特徴とするコンピュータプログラム。
【発明の詳細な説明】
【技術分野】
【０００１】
本発明は、血液分析装置、尿分析装置等の検体処理装置の保守を容易に実行することができる保守端末装置及びコンピュータプログラムに関する。
【背景技術】
【０００２】
近年、血液分析装置、尿分析装置等に代表される臨床検体処理装置は、分析項目の増加、付加的要素の拡充、装置の小型化等に伴って、装置の構造が著しく複雑化している。したがって、修理作業、保守作業等には、熟練した技術者が設置場所に赴いて、正しい作業を的確に行う必要がある。
【０００３】
例えば特許文献１には、従来の血液分析装置が開示されており、特許文献１に開示されているケーシング内部、流体回路の図からも明らかなように、血液分析装置に代表される臨床検体分析装置は、無数の部品と、検体、試薬等を各機構に輸送するための複数の配管とで構成されており、各々が複雑に接続、配置されている。
【特許文献１】特開２００６−２９２７３８号公報
【発明の開示】
【発明が解決しようとする課題】
【０００４】
特許文献１に開示されているような複雑な配管、配線を有する臨床検体分析装置は、その構造の複雑さゆえ、修理作業、保守作業等には相当の工数を要する。例えば装置内の所定の機構が故障した場合、当該機構に接続された配管、配線等を取り外して部品を交換し、再度接続する等の作業工程となる。斯かる作業は、配管図、配線図等を参照しながら、実際の配管、配線を確認しつつ取り外す配管、配線、再接続する配管、配線を正確に把握する必要がある。
【０００５】
しかし、一度施設に設置された臨床検体分析装置は、修理のために装置を回収することができず、いきおい現場で修理作業、保守作業等を実行する必要がある。しかし、病院の検査室、検査センター等の施設には複数の検査機器が設置されており、修理作業、保守作業等に用いることができるスペースは限定されている。したがって、大きな配管図、配線図を広げるスペースを確保することすら困難であり、図面を確認しながら修理作業、保守作業等を行うことが困難であるという問題があった。
【０００６】
また、病気の早期発見が望まれる昨今においては、検査の迅速化が強く要求されており、臨床検体分析装置のような検査に用いる装置の修理作業、保守作業等に伴う稼動停止時間は可能な限り短縮する必要がある。したがって、配管図、配線図等を確認しながらの修理作業、保守作業等を実行することは、時間的観点からも制約を伴うという問題があった。
【０００７】
本発明は斯かる事情に鑑みてなされたものであり、複雑な配管、配線を伴う装置であっても、図面を広げることなく正確な修理作業、保守作業等を迅速に実行することができる保守端末装置及びコンピュータプログラムを提供することを目的とする。
【課題を解決するための手段】
【０００８】
上記目的を達成するために第１発明に係る保守端末装置は、検体を処理する複数の流体部及び検体の流れを制御する複数の機器を備える検体処理装置の保守作業に用いる保守端末装置において、流体部を連結する配管に関する配管データ及び機器を電気的に接続する配線に関する配線データ、及び／又は連続的に接続されている複数の配管データ及び複数の配線データを一連の配管データ群及び一連の配線データ群として記憶するデータ記憶部と、記憶されている前記配管データ及び前記配線データ、及び／又は記憶されている前記一連の配管データ群及び一連の配線データ群を表示する表示部と、ポインティングデバイスの操作による指示信号の受付に応じて、対応する配管データ又は配線データ、若しくは対応する一連の配管データ群又は一連の配線データ群の表示形式を、他の表示形式へ切り替える表示切替部とを備えることを特徴とする。
【０００９】
また、第２発明に係る保守端末装置は、第１発明において、前記データ記憶部は、前記配管データ及び前記配線データを記憶する配管・配線データ記憶部と、前記一連の配管データ群及び前記一連の配線データ群を前記配管データ又は前記配線データの位置情報に対応付けて記憶するデータ群記憶部とを有し、前記表示部は、記憶されている前記配管データ及び前記配線データを表示し、前記表示切替部は、前記指示信号の受付に応じて、対応する配管データ又は配線データが含まれる前記一連の配管データ群又は前記一連の配線データ群の表示形式を、他の表示形式へ切り替えることを特徴とする。
【００１０】
また、第３発明に係る保守端末装置は、第１又は第２発明において、前記ポインティングデバイスの操作による指示位置が、前記配管データ又は配線データの表示位置の所定範囲内に位置するか否かを判断する判断部を備え、該判断部で所定範囲内に位置すると判断した場合、前記表示切替部が表示形式を切り替えることを特徴とする。
【００１１】
また、第４発明に係る保守端末装置は、第３発明において、前記判断部で所定範囲内に位置すると判断した場合、対応する配管データ又は配線データが含まれる前記一連の配管データ群又は前記一連の配線データ群の選択を受け付ける選択受付部と、該選択受付部で選択を受け付けた場合、選択を受け付けた前記一連の配管データ群又は前記一連の配線データ群の表示形式を、選択を受け付けた時点の表示形式に設定する表示形式設定部とを備えることを特徴とする。
【００１２】
また、第５発明に係る保守端末装置は、第４発明において、前記選択受付部で選択を受け付けた場合、選択を受け付けた前記一連の配管データ群又は前記一連の配線データ群の端部の接続に関する詳細情報を表示する詳細情報表示部を備えることを特徴とする。
【００１３】
また、第６発明に係る保守端末装置は、第５発明において、前記詳細情報表示部は、前記選択受付部で選択を受け付けた前記一連の配管データ群又は前記一連の配線データ群の端部の接続状態を示す画像を表示するようにしてあることを特徴とする。
【００１４】
また、第７発明に係る保守端末装置は、第５又は第６発明において、前記表示部は、記憶されている前記配管データ及び前記配線データを一のウインドウ上に表示するようにしてあり、前記詳細情報表示部は、選択を受け付けた前記一連の配管データ群又は前記一連の配線データ群の端部の接続状態を示す画像を他のウインドウ上に表示するようにしてあり、前記一のウインドウと前記他のウインドウとの表示内容を切り替えるウインドウ切替部を備えることを特徴とする。
【００１５】
また、第８発明に係る保守端末装置は、第１乃至第７発明のいずれか１つにおいて、前記表示切替部は、前記配管データ又は前記配線データ、若しくは前記一連の配管データ群又は前記一連の配線データ群が表示される色を、他の色へ切り替えるようにしてあることを特徴とする。
【００１６】
次に、上記目的を達成するために第９発明に係るコンピュータプログラムは、検体を処理する複数の流体部及び検体の流れを制御する複数の機器を備える検体処理装置の保守作業に用いる保守端末装置で実行することが可能なコンピュータプログラムにおいて、前記保守端末装置を、流体部を連結する配管に関する配管データ及び機器を電気的に接続する配線に関する配線データ、及び／又は連続的に接続されている複数の配管データ及び複数の配線データを一連の配管データ群及び一連の配線データ群として記憶するデータ記憶部、記憶されている前記配管データ及び前記配線データ、及び／又は記憶されている前記一連の配管データ群及び一連の配線データ群を表示する表示部、及びポインティングデバイスの操作による指示信号の受付に応じて、対応する配管データ又は配線データ、若しくは対応する一連の配管データ群又は一連の配線データ群の表示形式を、他の表示形式へ切り替える表示切替部として機能させることを特徴とする。
【００１７】
第１発明及び第９発明では、流体部を連結する配管に関する配管データ及び機器を電気的に接続する配線に関する配線データ、及び／又は連続的に接続されている複数の配管データ及び複数の配線データを一連の配管データ群及び一連の配線データ群として記憶しておく。記憶されている配管データ及び配線データ、及び／又は記憶されている一連の配管データ群及び一連の配線データ群を表示し、ポインティングデバイスの操作による指示信号の受付に応じて、対応する配管データ又は配線データ、若しくは対応する一連の配管データ群又は一連の配線データ群の表示形式を、他の表示形式へ切り替える。これにより、ポインティングデバイスの操作に応じて所望の配管データ及び配線データ、及び／又は記憶されている一連の配管データ群及び一連の配線データ群の表示形式を切り替えることができるので、複雑な配管、配線がなされている装置の修理作業、保守作業等を実行する場合に、大きな配管図、配線図等を広げることなく、一連の配管、配線を目視で容易に確認することができ、正しく接続されているか否かを確認しつつ正確に作業を実行することが可能となる。
【００１８】
第２発明では、配管データ及び配線データを記憶するとともに、一連の配管データ群及び一連の配線データ群を配管データ又は配線データの位置情報に対応付けて記憶しておく。記憶されている配管データ及び配線データを表示し、指示信号の受付に応じて、対応する配管データ又は配線データが含まれる一連の配管データ群又は一連の配線データ群の表示形式を、他の表示形式へ切り替える。これにより、例えばマウス等のポインティングデバイスのポインタが配管データ及び配線データの表示位置の所定範囲内に位置する場合に、一連の配管データ群又は一連の配線データ群の表示形式が他の表示形式へ切り替わることにより一目で容易に確認することができるようになり、複雑な配管、配線がなされている装置の修理作業、保守作業等を実行する場合であっても、大きな配管図、配線図等を広げることなく、一連の配管、配線を目視で容易に確認することができる。したがって、配管、配線等が正しく接続されているか否かを確認しつつ正確に修理作業、保守作業等を実行することが可能となる。
【００１９】
第３発明では、ポインティングデバイスの操作による指示位置が、配管データ又は配線データの表示位置の所定範囲内に位置するか否かを判断し、所定範囲内に位置すると判断した場合、表示形式を切り替えることにより、所望の配管又は配線を一目で確認することができるようになり、複雑な配管、配線がなされている装置の修理作業、保守作業等を実行する場合であっても、大きな配管図、配線図等を広げることなく、一連の配管、配線を目視で容易に確認することができる。したがって、配管、配線等が正しく接続されているか否かを確認しつつ正確に修理作業、保守作業等を実行することが可能となる。
【００２０】
第４発明では、ポインティングデバイスの操作による指示位置が、配管データ又は配線データの表示位置の所定範囲内に位置すると判断した場合、対応する配管データ又は配線データが含まれる一連の配管データ群又は一連の配線データ群の選択を受け付ける。具体的にはマウス等のポインタが、表示されている配管データ又は配線データを指示している状態でクリックされた信号を受け付ける。選択を受け付けた場合、選択を受け付けた一連の配管データ群又は一連の配線データ群の表示形式を、選択を受け付けた時点の表示形式に設定する。これにより、選択を受け付けるまでは、マウス等のポインタの位置の変動により、表示形式が絶えず切り替わるのに対し、選択を受け付けてからは、配管経路又は配線経路を追いかけてマウス等のポインタの位置が変動した場合であっても、選択を受け付けた一連の配管データ群又は一連の配線データ群の表示形式が変動せず、配管経路又は配線経路を確実に確認することが可能となる。
【００２１】
第５発明では、選択を受け付けた場合、選択を受け付けた一連の配管データ群又は一連の配線データ群の端部の接続に関する詳細情報を表示することにより、配管データの端部がどのように何に接続されているか、あるいは配線データの端部がどのように何に接続されているか等に関する詳細情報を目視で確認することができ、配管又は配線を取り外した場合であっても、元の状態へ確実に復旧させることが可能となる。
【００２２】
第６発明では、選択を受け付けた一連の配管データ群又は一連の配線データ群の端部の接続状態を示す画像を表示することにより、配管又は配線を取り外した場合であっても、元の状態を目視で確認することができ、間違うことなく確実に復旧させることが可能となる。
【００２３】
第７発明では、記憶されている配管データ及び配線データを一のウインドウ上に表示し、選択を受け付けた一連の配管データ群又は一連の配線データ群の端部の接続状態を示す画像を他のウインドウ上に表示する。一のウインドウと他のウインドウとの表示内容を切り替えることにより、全体の配管又は配線を把握する場合には配管データ及び配線データを大きなウインドウに、接続状態を示す画像を小さなウインドウに表示しておき、接続作業時には逆に表示するよう表示を切り替えることができる。したがって、必要な画像を大きなウインドウで表示することができ、目視で確認しながら確実に修理作業、保守作業等を実行することが可能となる。
【００２４】
第８発明では、一連の配管データ群又は一連の配線データ群が表示される色を、他の色へ切り替えることにより、色の違いにより一連の配管データ群又は一連の配線データ群を区別することが可能となる。
【発明の効果】
【００２５】
上記構成によれば、ポインティングデバイスの操作に応じて所望の配管データ及び配線データ、及び／又は記憶されている一連の配管データ群及び一連の配線データ群の表示形式を切り替えることができるので、複雑な配管、配線がなされている装置の修理作業、保守作業等を実行する場合に、大きな配管図、配線図等を広げることなく、一連の配管、配線を目視で容易に確認することができ、正しく接続されているか否かを確認しつつ正確に作業を実行することが可能となる。
【発明を実施するための最良の形態】
【００２６】
以下、本発明の実施の形態に係る保守端末装置について、図面に基づいて具体的に説明する。図１は、本発明の実施の形態に係る保守端末装置を、ＣＰＵを用いて具現化した場合のハードウェア構成を示すブロック図である。
【００２７】
図１に示すように、本実施の形態に係る保守端末装置１は、少なくとも、ＣＰＵ（中央演算装置）１１、ＲＡＭ１２、記憶装置１３、入力装置１４、表示装置１５、可搬型ディスクドライブ１６、通信装置１７及び上述したハードウェアを接続する内部バス１８で構成されている。ＣＰＵ１１は、内部バス１８を介して保守端末装置１の上述したようなハードウェア各部と接続されており、上述したハードウェア各部の動作を制御するとともに、記憶装置１３に記憶されているコンピュータプログラム１００に従って、種々のソフトウェア的機能を実行する。
【００２８】
ＲＡＭ１２は、ＳＲＡＭ、フラッシュメモリ等で構成され、コンピュータプログラム１００の実行時にロードモジュールが展開され、コンピュータプログラム１００の実行時に発生する一時的なデータ等を記憶する。もちろん、コンピュータプログラム１００は、事前に記憶装置１３に記憶されていても良い。
【００２９】
記憶装置１３は、内蔵される固定型記憶装置（ハードディスク）、ＲＯＭ等で構成されている。記憶装置１３に記憶されているコンピュータプログラム１００は、プログラム及びデータ等の情報を記録したＤＶＤ、ＣＤ−ＲＯＭ等の可搬型記録媒体９０から、可搬型ディスクドライブ１６によりダウンロードされ、実行時には記憶装置１３からＲＡＭ１２へ展開して実行される。もちろん、通信装置１７を介して外部コンピュータからダウンロードされたコンピュータプログラムであっても良い。
【００３０】
また記憶装置１３は、配管及び／又は配線に関するデータを記憶しているデータ記憶部１３１を備えている。データ記憶部１３１は、配管データ及び配線データを記憶している配管・配線データ記憶部１３２、及び／又は連続的に接続されている複数の配管データ又は複数の配線データを、一連の配管データ群又は一連の配線データ群として記憶するデータ群記憶部１３３を備えている。配管・配線データ記憶部１３２に記憶されている配管データ及び配線データは、ＣＡＤデータのようなベクトルデータであっても良いし、イメージデータのようなラスターデータであっても良い。画面に表示された場合に画面上のポインタが指示する位置を算出することができるよう、例えば画面中央の絶対座標値及び該絶対座標値からの相対座標値を記憶していれば、データ形式は問わない。
【００３１】
また、一連の配管データ群又は一連の配線データ群は、配管データ又は配線データの位置情報に対応付けてデータ群記憶部１３３に記憶されている。一連の配管データ群又は一連の配線データ群は、配管・配線データ記憶部１３２に記憶されている配管データ及び配線データに重ね合わせて表示しても良いし、単独で表示しても良い。同様に配管データ及び配線データのみを単独で表示しても良い。配管・配線データ記憶部１３２に記憶されている配管データ及び配線データがＣＡＤデータである場合には、多層データとして別個に記憶しても良い。
【００３２】
通信装置１７は内部バス１８に接続されており、インターネット、ＬＡＮ、ＷＡＮ等の外部のネットワーク網に接続されることにより、外部のコンピュータ等とデータ送受信を行うことが可能となっている。すなわち、上述した記憶装置１３は、保守端末装置１に内蔵される構成に限定されるものではなく、通信装置１７を介して接続されている外部のストレージ等の外部記録媒体であっても良い。
【００３３】
入力装置１４は、キーボード及びマウス等のデータ入力媒体である。表示装置１５は、ＣＲＴモニタ、ＬＣＤ等の表示装置である。
【００３４】
図２は、本発明の実施の形態に係る保守端末装置１の機能ブロック図である。図２に示すように本実施の形態に係る保守端末装置１は、流体部を連結する配管に関する配管データ及び機器の動作を制御する制御線の配線に関する配線データ、及び／又は連続的に接続されている複数の配管データ又は複数の配線データを、一連の配管データ群又は一連の配線データ群として配管データ又は配線データの位置情報に対応付けて記憶するデータ記憶部１３１を、記憶装置１３に備えている。
【００３５】
表示部２０１は、記憶されている配管データ及び配線データ、及び／又は一連の配管データ群又は一連の配線データ群を表示する。すなわち、配管データ及び配線データのみを表示しても良いし、一連の配管データ群又は一連の配線データ群のみを表示しても良いし、配管データ及び配線データとともに、一連の配管データ群又は一連の配線データ群を重ね合わせて表示しても良い。
【００３６】
指示信号受付部２０２は、マウス等のポインティングデバイスの操作による指示信号を受け付け、表示切替部２０３は、マウス等の操作による指示信号を受け付けた場合、指示されている配管データ又は配線データ、又は一連の配管データ群又は一連の配線データ群の表示形式を、他の表示形式へ切り替える。例えば初期表示では配管データ又は配線データのみが表示されていた場合には、指示信号を受け付けた配管データ又は配線データのみの表示形式を切り替える。同様に初期表示では一連の配管データ群又は一連の配線データ群のみが表示されていた場合には、指示信号を受け付けた一連の配管データ群又は一連の配線データ群のみの表示形式を切り替える。
【００３７】
また、初期表示では配管データ又は配線データが、一連の配管データ群又は一連の配線データ群ともに「黒」で表示されていたものを、指示信号を受け付けた一連の配管データ群又は一連の配線データ群のみを「赤」で表示するように表示形式を切り替える。これにより、配管データ及び配線データが混在して表示されているため、どの配管又は配線がどこに接続されているかを判断することが困難である場合であっても、指示信号を受け付けた配管又は配線に対応する配管データ又は配線データ又は一連の配管データ群又は一連の配線データ群のみ表示形式を切り替えることができ、指示された配管又は配線がどこに接続されているか容易に判断することができる。
【００３８】
ここで、ポインティングデバイスの操作による指示信号の受付とは、マウス等のポインタの位置情報の受付であっても良いし、クリック等の操作による選択を受け付けても良い。すなわち、マウス等のポインタを移動させるだけで表示形式を切り替えても良いし、クリック等の操作がなければ表示形式を切り替えないようにしても良い。
【００３９】
上述した構成の保守端末装置１での処理手順について説明する。図３は、本発明の実施の形態に係る保守端末装置１のＣＰＵ１１の処理手順を示すフローチャートである。
【００４０】
図３において、保守端末装置１のＣＰＵ１１は、配管データ及び配線データ、及び／又は一連の配管データ群及び一連の配線データ群を記憶装置１３のデータ記憶部１３１から読み出して表示する（ステップＳ３０１）。
【００４１】
図４は、表示されている配管データ及び配線データの例示図である。図４に示すように、配管データ及び配線データは、特に区別されることなく表示される。したがって、どの配管、どの配線が接続されているのか即座に把握することは、熟練者であっても困難である。
【００４２】
図４では、同じ線種、同じ表示色にて、一連の配管データ群及び一連の配線データ群のみを表示しても良い。したがって、配管データ及び配線データのみが表示されているのか、一連の配管データ群及び一連の配線データ群のみが表示しているのか、あるいは両方が表示されているのかは、操作者にはわからない。もちろん、配管データ及び配線データがＣＡＤデータである場合には、階層ごとに一連の配管データ群及び一連の配線データ群を設定して、全ての階層を同時に表示すれば足りる。
【００４３】
図３に戻って、保守端末装置１のＣＰＵ１１は、マウス等のポインティングデバイスによる指示信号を受け付けたか否かを判断する（ステップＳ３０２）。ＣＰＵ１１が、指示信号を受け付けていないと判断した場合（ステップＳ３０２：ＮＯ）、ＣＰＵ１１は、指示信号の受付待ち状態となる。
【００４４】
ＣＰＵ１１が、指示信号を受け付けたと判断した場合（ステップＳ３０２：ＹＥＳ）、ＣＰＵ１１は、指示信号に対応する配管データ又は配線データ、若しくは一連の配管データ群又は一連の配線データ群の表示形式を、他の表示形式へ切り替える（ステップＳ３０３）。例えば、配管データ又は配線データ、若しくは一連の配管データ群又は一連の配線データ群が「黒」で表示されていたものを、指示信号に対応する配管データ又は配線データ、若しくは一連の配管データ群又は一連の配線データ群のみを「赤」で表示するように表示形式を切り替える。
【００４５】
これにより、配管データ及び配線データが混在して表示されているため、どの配管又は配線がどこに接続されているかを判断することが困難である場合であっても、指示された配管データ又は配線データ、若しくは一連の配管データ群又は一連の配線データ群のみ表示形式を切り替えることにより、指示された配管又は配線がどこに接続されているか容易に判断することができる。
【００４６】
実際には、配管データ又は配線データと、対応する一連の配管データ群又は一連の配線データ群を同時に表示することが好ましい。配管データ又は配線データ、対応する一連の配管データ群又は一連の配線データ群のデータ形式を問わないからである。図５は、両データを表示する場合の本発明の実施の形態に係る保守端末装置１の機能ブロック図である。図５に示すように本実施の形態に係る保守端末装置１は、流体部を連結する配管に関する配管データ及び機器の動作を制御する制御線の配線に関する配線データを記憶する配管・配線データ記憶部１３２、及び連続的に接続されている複数の配管データ又は複数の配線データを、一連の配管データ群又は一連の配線データ群として配管データ又は配線データの位置情報に対応付けて記憶するデータ群記憶部１３３を、記憶装置１３に備えている。
【００４７】
表示部２０１は、記憶されている配管データ及び配線データを表示する。本実施の形態では、配管・配線データ記憶部１３２に記憶されている配管データ及び配線データとともに、データ群記憶部１３３に記憶されている一連の配管データ群又は一連の配線データ群も重ね合わせて表示する。
【００４８】
判断部５０１は、ポインティングデバイスによる指示位置、すなわちマウス等のポインタの位置が、配管データ又は配線データの表示位置の所定範囲内に位置するか否かを判断する。これにより、マウス等のポインタが、配管データ又は配線データのうち、どの配管データ又は配線データを指示しているか判断することができる。
【００４９】
表示切替部２０３は、判断部５０１でマウス等のポインタが所定範囲内に位置すると判断した場合、指示されている配管データ又は配線データが含まれる一連の配管データ群又は一連の配線データ群の表示形式を、他の表示形式へ切り替える。例えば初期表示では配管データ又は配線データ、一連の配管データ群又は一連の配線データ群ともに「黒」で表示されていたものを、指示されている配管データ又は配線データが含まれる一連の配管データ群又は一連の配線データ群のみを「赤」で表示するように表示形式を切り替える。これにより、配管データ及び配線データが混在して表示されているため、どの配管又は配線がどこに接続されているかを判断することが困難である場合であっても、指示された配管データ又は配線データが含まれる一連の配管データ群又は一連の配線データ群のみ表示形式を切り替えることにより、指示された配管又は配線がどこに接続されているか容易に判断することができる。
【００５０】
選択受付部５０２は、判断部５０１でマウス等のポインタが所定範囲内に位置すると判断した場合、指示されている配管データ又は配線データが含まれる一連の配管データ群又は一連の配線データ群の選択を受け付ける。具体的には、マウス等のポインタが配管データ又は配線データを指示している状態で、操作者がクリック操作等をすることにより選択を受け付ける。
【００５１】
表示形式設定部５０３は、選択受付部５０２で選択を受け付けた場合、選択を受け付けた一連の配管データ群又は一連の配線データ群の表示形式を、選択を受け付けた時点の表示形式に設定して固定する。これにより、配管及び配線に追従してマウス等のポインタを移動させた場合であっても、追従対象となる一連の配管データ群又は一連の配線データ群の表示形式が変更することがなく、確実に接続関係を確認することができる。
【００５２】
詳細情報表示部５０４は、選択受付部５０２で選択を受け付けた場合、選択を受け付けた一連の配管データ群又は一連の配線データ群の端部の接続に関する詳細情報を表示する。具体的には、マウス等のポインタが配管データ又は配線データを指示している状態で、操作者がクリック操作等をして選択を受け付けることにより、一連の配管データ群又は一連の配線データ群の端部における接続状態を表示する。これにより、配管は、どの装置にどのように接続されているか、配線はどの機器のどの端子に接続されているか等に関する詳細情報を確認することができ、配管及び配線を取外して再度接続する場合であっても、配管誤り、配線誤り等が生じるのを未然に防止することが可能となる。
【００５３】
ウインドウ切替部５０５は、配管データ及び配線データを一のウインドウ上に表示し、選択を受け付けた一連の配管データ群又は一連の配線データ群の端部の接続状態を示す詳細情報を他のウインドウ上に表示する場合に、一のウインドウと他のウインドウとの表示内容を切り替える。表示内容を切り替えるトリガは特に限定されるものではなく、他のウインドウ上でマウス等をクリック操作しても良いし、マウス等のポインタが他のウインドウ表示領域に入った時点で切り替えても良い。
【００５４】
上述した構成の保守端末装置１での処理手順について説明する。図６は、本発明の実施の形態に係る保守端末装置１のＣＰＵ１１の処理手順を示すフローチャートである。
【００５５】
図６において、保守端末装置１のＣＰＵ１１は、配管データ及び配線データを記憶装置１３から読み出し、表示装置１５へ表示する（ステップＳ６０１）。同時にＣＰＵ１１は、一連の配管データ群及び一連の配線データ群を読み出し、表示されている配管データ及び配線データの前面に重ね合わせて表示する（ステップＳ６０２）。
【００５６】
ＣＰＵ１１は、マウス等のポインタの位置が、配管データ又は配線データの表示位置の所定範囲内に位置するか否かを判断する（ステップＳ６０３）。ＣＰＵ１１が、所定範囲内に位置しないと判断した場合（ステップＳ６０３：ＮＯ）、ＣＰＵ１１は、マウス等のポインタの位置が所定範囲内に位置するまで待ち状態となる。
【００５７】
ＣＰＵ１１が、所定範囲内に位置すると判断した場合（ステップＳ６０３：ＹＥＳ）、ＣＰＵ１１は、マウス等のポインタにより指示されている配管データ又は配線データが含まれる一連の配管データ群又は一連の配線データ群の表示形式を、他の表示形式へ切り替える（ステップＳ６０４）。例えば、ステップＳ６０１及びステップＳ６０２では、配管データ又は配線データ、一連の配管データ群又は一連の配線データ群ともに「黒」で表示されていたものを、指示されている配管データ又は配線データが含まれる一連の配管データ群又は一連の配線データ群のみを「赤」で表示するように表示形式を切り替える。
【００５８】
斯かる構成でも、配管データ及び配線データが混在して表示されているため、どの配管又は配線がどこに接続されているかを判断することが困難である場合であっても、指示された配管データ又は配線データが含まれる一連の配管データ群又は一連の配線データ群のみ表示形式を切り替えることにより、指示された配管又は配線がどこに接続されているか容易に判断することができる。
【００５９】
図７は、指示された配管データ又は配線データが含まれる一連の配管データ群又は一連の配線データ群の表示形式を切り替えた場合の例示図である。図７では、太実線で記載されている配管７１が表示形式が切り替えられた配管である旨を示している。このように、複雑な配管及び配線であっても、表示形式を切り替えることにより一連の配管データ群又は一連の配線データ群を目視で容易に確認することが可能となる。
【００６０】
図６に戻って、保守端末装置１のＣＰＵ１１は、指示されている配管データ又は配線データが含まれる一連の配管データ群又は一連の配線データ群の選択を受け付けたか否かを判断する（ステップＳ６０５）。具体的には、マウス等のポインタが配管データ又は配線データの上、又はその近傍に位置する場合に、クリック操作等で対応する配管データ又は配線データが選択されたか否かを判断する。
【００６１】
ＣＰＵ１１が、指示されている配管データ又は配線データが含まれる一連の配管データ群又は一連の配線データ群の選択を受け付けていないと判断した場合（ステップＳ６０５：ＮＯ）、ＣＰＵ１１は、処理をステップＳ６０３へ戻し、上述した処理を繰り返す。ＣＰＵ１１が、指示されている配管データ又は配線データが含まれる一連の配管データ群又は一連の配線データ群の選択を受け付けたと判断した場合（ステップＳ６０５：ＹＥＳ）、ＣＰＵ１１は、選択を受け付けた一連の配管データ群又は一連の配線データ群の表示形式を、選択を受け付けた時点の表示形式に設定して固定する（ステップＳ６０６）。
【００６２】
これにより、配管及び配線に追従してマウス等のポインタを移動させた場合であっても、追従対象となる一連の配管データ群又は一連の配線データ群の表示形式が変更することがなく、確実に接続関係を確認することができる。
【００６３】
一方、表示形式が変更されている一連の配管データ群又は一連の配線データ群の端部、すなわち一連の配管データ群又は一連の配線データ群が終了して、他の機器、装置等に接続されている部分では、実際にどのようなコネクタ、端子等によりどのように接続されているのか不明確な場合が多い。そこで、一連の配管データ群又は一連の配線データ群の選択を受け付けたと判断した場合、選択を受け付けた一連の配管データ群又は一連の配線データ群の端部の接続に関する詳細情報を表示しても良い。
【００６４】
図８は、本発明の実施の形態に係る保守端末装置１のＣＰＵ１１の詳細情報表示処理の手順を示すフローチャートである。図８に示すように、保守端末装置１のＣＰＵ１１が、指示されている配管データ又は配線データが含まれる一連の配管データ群又は一連の配線データ群の選択を受け付けたと判断した場合（ステップＳ６０５：ＹＥＳ）、ＣＰＵ１１は、選択を受け付けた一連の配管データ群又は一連の配線データ群の端部の接続に関する詳細情報を記憶装置１３から読み出し（ステップＳ８０１）、読み出した詳細情報を表示装置１５へ、既に表示されている配管データ及び配線データと重ねて表示する（ステップＳ８０２）。
【００６５】
具体的には、マウス等のポインタが配管データ又は配線データを指示している状態で、操作者がクリック操作等をして選択を受け付けることにより、一連の配管データ群又は一連の配線データ群の端部における接続状態等を表示する。図９は、詳細情報が端部における拡大図面である場合の例示図である。図９では、配管データ又は配線データが表示されているウインドウとは別個に、他のウインドウ上にて拡大配管データ９１を表示している。
【００６６】
詳細情報は、端部における拡大図面に限定されるものではなく、三次元的な斜視図、写真等であっても良い。図１０は、選択を受け付けた一連の配管データ群の終点がチャンバである場合の詳細情報表示の例示図である。
【００６７】
図１０に示すように、選択を受け付けた一連の配管データ群の終点がチャンバ１０１である場合、チャンバ１０１の拡大斜視図１０２を別ウインドウとして表示している。このように具体的な図面を表示することにより、どこにどのように配管を接続するか、目視で確実に確認することができる。
【００６８】
同様に図１１は、選択を受け付けた一連の配管データ群の終点がバルブである場合の詳細情報表示の例示図である。図１１に示すように、選択を受け付けた一連の配管データ群の終点がバルブ１１１である場合、バルブ１１１の拡大斜視図１１２を別ウインドウとして表示している。これにより、配管は、どの装置にどのように接続されているか、配線はどの機器のどの端子に接続されているか等に関する詳細情報を確認することができ、配管及び配線を取外して再度接続する場合であっても、配管誤り、配線誤り等が生じるのを未然に防止することが可能となる。
【００６９】
なお、詳細情報を表示する場合、複数のウインドウに表示することが好ましいが、さらにウインドウ間で表示対象を切り替えるようにすることが好ましい。図１２は、ウインドウ切替の例示図である。
【００７０】
図１２（ａ）では、配管データ及び配線データ１２１を主ウインドウＡに表示し、選択を受け付けた一連の配管データ群又は一連の配線データ群の端部の接続状態を示す詳細情報１２２を副ウインドウＢに表示している。しかし、接続作業を実行する場合には、配管又は配線がどのように延伸しているかに関する情報よりも、端部にて機器、装置等にどのように接続されているかに関する情報の方が重要度が高い。
【００７１】
そこで、図１２（ｂ）では、配管データ及び配線データ１２１を副ウインドウＢに表示し、選択を受け付けた一連の配管データ群又は一連の配線データ群の端部の接続状態を示す詳細情報１２２を主ウインドウＡに表示するよう切り替えることにより、作業効率を高めることができる。
【００７２】
各ウインドウでの表示内容を切り替えるトリガは特に限定されるものではなく、副ウインドウＢ上でマウス等をクリック操作した場合に切り替えても良いし、マウス等のポインタが副ウインドウＢに入った時点で切り替えても良い。
【００７３】
以上の本実施の形態によれば、マウス等の操作に応じて所望の配管データ及び配線データ、及び／又は記憶されている一連の配管データ群及び一連の配線データ群の表示形式を切り替えることができるので、複雑な配管、配線がなされている装置の修理作業、保守作業等を実行する場合に、大きな配管図、配線図等を広げることなく、一連の配管、配線を目視で容易に確認することができ、正しく接続されているか否かを確認しつつ正確に作業を実行することが可能となる。
【００７４】
また、マウス等のポインタが、表示されている配管データ又は配線データを指示していると判断した場合、対応する配管データ又は配線データが含まれる一連の配管データ群又は一連の配線データ群の表示形式を、他の表示形式へ切り替えることにより、複雑な配管、配線がなされている装置の修理作業、保守作業等を実行する場合に、大きな配管図、配線図等を広げることなく、一連の配管、配線を目視で容易に確認することができ、正しく接続されているか否かを確認しつつ正確に作業を実行することが可能となる。また、選択を受け付けるまでは、マウス等のポインタの位置の変動により、表示形式が絶えず切り替わるのに対し、選択を受け付けてからは、配管経路又は配線経路を追いかけてマウス等のポインタの位置が変動した場合であっても、選択を受け付けた一連の配管データ群又は一連の配線データ群の表示形式が変動せず、配管経路又は配線経路を確実に確認することが可能となる。
【００７５】
さらに、選択を受け付けた場合、選択を受け付けた一連の配管データ群又は一連の配線データ群の端部の接続に関する詳細情報を表示することにより、一連の配管データ群の端部がどのように何に接続されているか、あるいは一連の配線データ群の端部がどのように何に接続されているか等に関する詳細情報を目視で確認することができ、配管又は配線を取り外した場合であっても、元の状態へ確実に復旧させることが可能となる。
【００７６】
なお、表示形式の変更は、表示する色を変更する方法に限定されるものではなく、例えば表示する配管データ又は配線データの線幅、線種を変更する方法であっても良い。例えばマウス等のポインタが指示した一連の配管データ群又は一連の配線データ群のみ、線幅が広くなるよう表示しても良いし、線種が一点鎖線、破線等で表示するようにしても良い。また逆に、マウス等のポインタが指示した一連の配管データ群又は一連の配線データ群以外の一連の配管データ群又は一連の配線データ群について表示形式を変更しても良い。例えばマウス等のポインタが指示した一連の配管データ群又は一連の配線データ群以外の一連の配管データ群又は一連の配線データ群の線幅を狭く細線として表示しても良いし、線種が一点鎖線、破線等で表示するようにしても良い。
【００７７】
また、詳細情報の種類は特に限定されるものではなく、上述の実施例のような静止画像のみならず、実際に作業をしている状況を撮影した動画像であっても良い。また、作業順序が特定されている場合等には、順序を明示するような画像を表示しても良い。
【００７８】
その他、上述した実施の形態は、本発明の趣旨を逸脱しない範囲で変更することができる。例えば、配管データ、配線データ等は、サーバ等の外部コンピュータに全て記憶しておき、無線ＬＡＮ等の通信手段を介して保守端末装置１が取得するようにしても良い。
【図面の簡単な説明】
【００７９】
【図１】本発明の実施の形態に係る保守端末装置を、ＣＰＵを用いて具現化した場合のハードウェア構成を示すブロック図である。
【図２】本発明の実施の形態に係る保守端末装置の機能ブロック図である。
【図３】本発明の実施の形態に係る保守端末装置のＣＰＵの処理手順を示すフローチャートである。
【図４】表示されている配管データ及び配線データの例示図である。
【図５】両データを表示する場合の本発明の実施の形態に係る保守端末装置の機能ブロック図である。
【図６】本発明の実施の形態に係る保守端末装置のＣＰＵの処理手順を示すフローチャートである。
【図７】指示された配管データ又は配線データが含まれる一連の配管データ群又は一連の配線データ群の表示形式を切り替えた場合の例示図である。
【図８】本発明の実施の形態に係る保守端末装置のＣＰＵの詳細情報表示処理の手順を示すフローチャートである。
【図９】詳細情報が端部における拡大図面である場合の例示図である。
【図１０】選択を受け付けた一連の配管データ群の終点がチャンバである場合の詳細情報表示の例示図である。
【図１１】選択を受け付けた一連の配管データ群の終点がバルブである場合の詳細情報表示の例示図である。
【図１２】ウインドウ切替の例示図である。
【符号の説明】
【００８０】
１  保守端末装置
１１  ＣＰＵ
１２  ＲＡＭ
１３  記憶装置
１４  入力装置
１５  表示装置
１６  可搬型ディスクドライブ
１７  通信装置
１８  内部バス
９０  可搬型記録媒体
１００  コンピュータプログラム
１３１  データ記憶部
１３２  配管・配線データ記憶部
１３３  データ群記憶部
【図１】
2010071802.tif 000003
【図２】
2010071802.tif 000004
【図３】
2010071802.tif 000005
【図４】
2010071802.tif 000006
【図５】
2010071802.tif 000007
【図６】
2010071802.tif 000008
【図７】
2010071802.tif 000009
【図８】
2010071802.tif 000010
【図９】
2010071802.tif 000011
【図１０】
2010071802.tif 000012
【図１１】
2010071802.tif 000013
【図１２】
2010071802.tif 000014